(57)【要約】【課題】ランプの寿命に対する影響が少なく、消費電流（損失）を抑制しながら、ランプ駆動時の突入電流を抑制することができる技術を提供する。【解決手段】ランプ駆動回路６１は、副制御回路２１から出力される副制御信号に基づいてランプ６５Ａ〜６５Ｎそれぞれのランプ駆動パターンを記憶回路６２から読み出す。そして、読み出したランプ６５Ａ〜６５Ｎそれぞれのランプ駆動パターンに基づいて、ランプ６５Ａ〜６５Ｎそれぞれに直列に接続されているスイッチング素子６６Ａ〜６６Ｎに、スイッチング素子６６Ａ〜６６Ｎをオンさせる駆動信号を出力する。この時、ランプ６５Ａ〜６５Ｎを流れる電流が徐々に増加するように駆動信号を制御する。【選択図】図２
2008264435.tif 000002
【特許請求の範囲】
【請求項１】
遊技機本体と、前記遊技機本体に着脱自在に取り付けられた遊技盤と、前記遊技機本体に設けられたランプと、前記ランプを駆動するランプ駆動回路を備える遊技機であって、前記ランプ駆動回路は、遊技状態に応じた駆動パターンで前記ランプを駆動するとともに、前記ランプを流れる電流が徐々に増加するように前記ランプを駆動することを特徴とする遊技機。
【発明の詳細な説明】
【技術分野】
【０００１】
本発明は、遊技機、特に、ランプ（白熱電球）を用いて装飾や遊技演出を行う遊技機に関する。
【背景技術】
【０００２】
パチンコ機等の遊技機では、ランプ（白熱電球）、ＬＥＤ、スピーカ、液晶表示装置等を用いて装飾や遊技演出を行うことにより、遊技に対する遊技者の興趣を高めている。ここで、ランプのフィラメントは、温度が低いと抵抗値が小さい。このため、フィラメントの温度が低い状態でランプが駆動される（点灯される）と、フィラメントに突入電流が流れる。そこで、ランプを用いて装飾や遊技演出を行う場合には、ランプ駆動時の突入電流を抑制するために、特許文献１に記載されている方法が用いられている。特許文献１に記載されている１つの方法は、ランプに直列に接続されたスイッチング素子と並列に抵抗を接続する方法である。この方法では、ランプの非駆動時（消灯時）に、スイッチング素子と並列に接続されている抵抗によって決定される微小な電流がランプに流れてフィラメントが加熱され、フィラメントの抵抗値が小さくなるのが抑制される。これにより、ランプ駆動時の突入電流が抑制される。他の方法は、ランプに直列に抵抗を接続する方法である。この方法では、ランプの駆動時に、ランプに直列に接続されている抵抗によって突入電流が抑制される。
【特許文献１】特開平９−２１５８１７号公報
【発明の開示】
【発明が解決しようとする課題】
【０００３】
ランプ駆動時の突入電流を抑制する方法として特許文献１に記載されている１つの方法を用いた場合には、ランプの非駆動時にもフィラメントに電流が流れるため、フィラメントの寿命（ランプの寿命）が低下する。また、ランプの非駆動時に、スイッチング素子に並列に接続されている抵抗に電流が流れるため、消費電流（損失）が増大する。
ランプ駆動時の突入電流を抑制する方法として特許文献１に記載されている他の方法を用いた場合には、ランプの駆動時に、ランプに直列に接続されている抵抗に電流が流れるため、消費電流（損失）が増大する。
ここで、一般的に、遊技機は、本体枠と、本体枠に回動可能に取り付けられたガラス枠と、本体枠に着脱自在に取り付けられた遊技盤を備えている。そして、異なる機種に対しては遊技盤を交換し、本体枠とガラス基板を共通に使用することによって、資源の有効利用を図っている。このため、本体枠やガラス枠に装飾用あるいは遊技演出用として設けられるランプの寿命は長い方が好ましい。また、近年、ＬＥＤやランプの使用数を増やし、さらに、大型の液晶表示装置を装飾図柄表示装置として使用することによって装飾効果あるいは遊技演出効果を高めているため、消費電力が増大している。このため、消費電流（損失）を少なくし電源装置の負担を軽減するのが好ましい。
したがって、ランプ駆動時の突入電流を抑制する方法として、ランプの寿命に対する影響が少なく、消費電流（損失）も抑制することができる方法の開発が要望されている。
本発明は、このような点に鑑みて創案されたものであり、ランプの寿命に対する影響が少なく、消費電流（損失）を抑制しながら、ランプ駆動時の突入電流を抑制することができる技術を提供することを目的とする。
【課題を解決するための手段】
【０００４】
本発明は、遊技機本体と、遊技機本体に着脱自在に取り付けられた遊技盤と、遊技機本体に設けられたランプと、ランプを駆動するランプ駆動回路を備える遊技機を対象とする。
通常、遊技機は、本体枠と、本体枠に回動可能に取り付けられたガラス枠と、本体枠に着脱自在に取り付けられた遊技盤を有している。本発明の「遊技機本体」には、本体枠と、本体枠に回動可能に取り付けられたガラス枠が包含される。本発明の「ランプ」は、温度が低い時には抵抗値が小さく、電流が流れることによって温度が上昇すると抵抗値が大きくなる発光素子（光源）を意味する。典型的には、「白熱電球」と呼ばれる、フィラメント（抵抗体）のジュール熱による発光を利用した発光素子（光源）が対応する。本発明の「ランプが設けられた遊技機本体」には、本体枠あるいはガラス枠の一方にランプが設けられた態様及び双方にランプが設けられた態様が包含される。遊技機本体に設けられるランプの数や配設位置は、適宜選択可能である。勿論、本発明の遊技機は、装飾あるいは遊技演出等を行う遊技用機器として、遊技機本体に設けられたランプのみを有する遊技機に限定されるものではない。ランプ駆動回路によってランプを駆動する態様としては、種々の態様を用いることができる。典型的には、ランプを点灯させる期間、ランプに直列に接続されているスイッチング素子に、当該スイッチング素子をオンさせるオン信号を出力する態様が用いられる。
そして、ランプ駆動回路は、遊技状態に応じた駆動パターンでランプを駆動するとともに、ランプを流れる電流が徐々に増加するようにランプを駆動する。遊技状態としては、待機状態（遊技を行っていない状態）、遊技状態、入賞状態、抽選結果表示状態、大当り発生状態、大当り遊技状態等が用いられる。「遊技状態に応じた駆動パターンでランプを駆動する」態様は、駆動パターンにより定められている時期にランプを点灯あるいは消灯する態様を意味し、典型的には、ランプに直列に接続されているスイッチング素子に、駆動パターンにより定められているランプ点灯期間の間、スイッチング素子をオンさせるオン信号を出力する態様が用いられる。「ランプを流れる電流が徐々に増加するようにランプを駆動する」態様は、ランプの点灯時にランプを流れる電流を徐々に増加させる態様を意味し、典型的には、ランプに直列に接続されているスイッチング素子に、オン期間が徐々に増加する駆動信号（ＰＷＭ信号：パルス幅制御信号）を出力する態様が用いられる。なお、駆動パターンにより定められているランプ点灯期間の開始時に、オン期間が徐々に増加する駆動信号をスイッチング素子に出力することにより、ランプが実際に点灯する時期が駆動パターンにより定められているランプ点灯開始時期より遅れた場合も、「遊技状態に応じた駆動パターンでランプを駆動するとともに、ランプを流れる電流が徐々に増加するようにランプを駆動する」概念に包含される。また、「遊技状態に応じた駆動パターンでランプを駆動するとともに、ランプを流れる電流が徐々に増加するようにランプを駆動する」態様には、オン期間を徐々に増加させる始動パターンを含む駆動パターンに基づいてランプを駆動する態様も包含される。
本発明では、ランプの非駆動時にランプに電流が流れないため、ランプの寿命の低下を抑制することができる。また、ランプの温度の低下を抑制するための抵抗（スイッチング素子と並列に接続される抵抗）やランプの突入電流を抑制するための抵抗（ランプと直列に接続される抵抗）が不要となるため、これらの抵抗による消費電流（損失）を抑制することができる。
【発明の効果】
【０００５】
本発明を用いることにより、ランプの寿命に対する影響が少なく、消費電流（損失）を抑制しながら、ランプ駆動時の突入電流を抑制することができる。
【発明を実施するための最良の形態】
【０００６】
以下に、本発明の実施の形態を、図面を参照して説明する。
本発明の一実施の形態の斜視図を図１に示す。本実施の形態は、本発明をパチンコ機として構成したものである。
本実施の形態のパチンコ機１は、概略、遊技店の島等に配設される基枠２と、基枠２に回動可能に取り付けられた本体枠３と、本体枠３に回動可能に取り付けられたガラス枠４を有している。本体枠３には、遊技盤７が着脱自在に取り付けられている。遊技盤７には、ガイドレールによって遊技領域が形成されており、遊技領域には、図１には図示されていないが、釘、風車、入賞口、特別入賞口、役物、装飾図柄表示装置等が設けられている。ガラス枠４には、遊技盤１０の遊技領域に対向する箇所にガラス５が取り付けられている。本体枠３には、遊技球をガイドレールに沿って遊技領域に発射させる発射レバー６が設けられている。
また、本実施の形態では、図１には図示されていないが、本体枠３、ガラス枠４や遊技盤７には、装飾あるいは遊技演出のためのＬＥＤ（発光ダイオード）やランプが適宜設けられる。ＬＥＤやランプの数及び配設位置は、装飾効果や遊技演出効果等を考慮して適宜選択される。
本明細書では、「ランプ」は、温度が低い時には抵抗値が小さく、電流が流れることによって温度が上昇すると抵抗値が大きくなる発光素子（光源）を意味する。ランプとしては、典型的には、白熱電球と呼ばれる、フィラメント（抵抗体）のジュール熱による発光を利用した発光素子（光源）が用いられる。
一般的に、本体枠３やガラス枠４には、異なる機種に対して共通に使用可能な機器が設けられ、遊技盤７には、機種によって変更される可能性がある機器が設けられる。これにより、本体枠３とガラス枠４を異なる機種に対して共通に利用し、本体枠３とガラス枠４の有効利用を図っている。
以下では、「ランプが設けられた遊技機本体」は、本体枠３と、本体枠３に回動可能に取り付けられたガラス枠４を含むものとして用いられている。また、「ランプが設けられた遊技機本体」には、本体枠３とガラス枠４の一方にランプが設けられた態様及び双方にランプが設けられた態様が包含される。
【０００７】
次に、本実施の形態の制御回の概略構成図を図２により説明する。
本実施の形態のパチンコ機の制御系は、基板と、装飾あるいは遊技演出を行う遊技用機器等を備えている。
基板としては、主制御基板１０、副制御基板２０、表示制御基板３０、ＬＥＤ基板５０、ランプ基板６０等が用いられている。遊技用機器としては、特別図柄を用いて抽選結果を表示する特別図柄表示装置１５、装飾図柄を用いた演出表示や待機中におけるデモ表示等を行う装飾図柄表示装置３５、音による演出等を行うスピーカ２５、光による装飾や演出等を行うＬＥＤ５５Ａ〜５５Ｍ（Ｍ：ＬＥＤの数）、ランプ６５Ａ〜６５Ｎ（Ｎ：ランプの数）等が用いられている。ＬＥＤ５５Ａ〜５５Ｍやランプ６５Ａ〜６５Ｎは、本体枠３やガラス枠４（遊技機本体）及び遊技盤７に設けることができるが、以下では、ＬＥＤ５５Ａ〜５５Ｍが遊技盤７と遊技機本体（本体枠３、ガラス枠４）に設けられ、ランプ６５Ａ〜６５Ｎが遊技機本体（本体枠３、ガラス枠４）に設けられているものとして説明する。
勿論、これらの基板や遊技用機器に限定されるものではない。
【０００８】
主制御基板１０には、主制御回路１１、ＲＯＭやＲＡＭを含む記憶回路（主制御用記憶回路）１２、表示装置駆動装置（特別図柄用表示装置駆動装置）１３等が配設されている。
主制御回路１１の端子１１ａ〜１１ｃには、主制御基板１０の端子１０ａ〜１０ｃを介して、それぞれ、遊技球が始動ゲートを通過したことあるいは始動入賞口に入球したことを示す始動球検出信号、遊技球が入賞口に入球したことを示す入賞球検出信号、遊技球が大入賞口に入球したことを示す大入賞球検出信号が入力される。
主制御回路１１は、各入力信号と、端子１１ｄに接続されている主制御用記憶回路１３に書き込まれている情報（例えば、制御プログラムや各種の乱数発生プログラム等のプログラムや制御データ等の記憶情報）に基づいて主制御信号を出力する。例えば、主制御回路１１は、始動球検出信号が入力されると、当たり判定用乱数を読み取り、読み取った当たり判定用乱数が当たり値と一致するか否かを判定する（抽選手段により抽選を行う）。また、変動表示時間判定用乱数を読み取る。そして、表示装置制御信号を主制御信号として表示装置駆動装置１３に出力する。表示装置駆動装置１３は、主制御回路１１から出力された主制御信号に基づいて、端子１０ｄを介して特別図柄表示装置１５に駆動信号を出力する。これにより、特別図柄表示装置１５には、特別図柄を用いて抽選結果が表示される。例えば、抽選結果が当たりである場合には、特別図柄が、変動表示時間判定用乱数に対応する変動表示時間の間変動表示された後、当たり特別図柄が停止表示される。一方、抽選結果がはずれである場合には、特別図柄が、変動表示時間判定用乱数に対応する変動表示時間の間変動表示された後、はずれ特別図柄が停止表示される。
特別図柄表示装置１５としては、処理負担が軽いＬＥＤ等により構成される表示装置が用いられる。
【０００９】
また、主制御回路１１は、抽選結果と変動表示時間（当たり判定用乱数と変動表示時間判定用乱数）を示す主コマンド信号を主制御信号として、端子１１ｅ、主制御基板１０の端子１０ｅを介して副制御基板２０の端子２０ａに出力する。
また、主制御回路１１は、抽選結果が当たりである場合には、変動表示時間経過後、大入賞口を開閉する大入賞口開閉部材を開制御する大入賞口制御信号を主制御信号として出力し、遊技者に有利な大当たり遊技状態を発生させる。同時に、大当たり遊技状態に対応する演出を行うことを指示する主コマンド信号を主制御信号として、１１ｅ、主制御基板１０の端子１０ｅを介して副制御基板２０の端子２０ａに出力する。大当たり遊技状態は、設定時間が経過したこと、あるいは、設定数の遊技球が大入賞口に入球したことにより終了する。
また、主制御回路１１は、遊技球が入球した入賞口に対応する数の遊技球を払い出すことを指示する主コマンド信号を主制御信号として払出制御基板（図示省略）に出力する。
【００１０】
副制御基板２０には、副制御回路２１、ＲＯＭやＲＡＭを含む記憶回路（副制御用記憶回路）２２、音源ＩＣ２３等が配設されている。
副制御回路２１は、副制御基板２０の端子２０ａ、端子２１ａを介して入力された主制御信号（主コマンド信号）と、端子２１ｂに接続されている副制御用記憶回路２２に書き込まれている情報（例えば、制御プログラムや各種の乱数発生プログラム等のプログラムや制御データ等の記憶情報）に基づいて、副制御信号を出力する。
例えば、端子２１ａに入力された主コマンド信号で示される抽選結果情報が、抽選結果が当たりであることを示している場合には、当たり図柄用乱数を読み取るとともに、主コマンド信号で示される変動表示時間に対応する当たり図柄変動パターン用乱数を読み取る。そして、読み取った当たり図柄用乱数と当たり図柄変動パターン用乱数により、装飾図柄表示装置３５に表示する装飾図柄（当り装飾図柄）と変動パターンを決定する。一方、主コマンド信号で示される抽選結果情報が、抽選結果がはずれであることを示している場合には、はずれ図柄判定用乱数を読み取るとともに、主コマンド信号で示される変動表示時間に対応するはずれ図柄変動パターン用乱数を読み取る。そして、読み取ったはずれ図柄用乱数とはずれ図柄変動パターン用乱数により、装飾図柄表示装置３５に表示する装飾図柄（はずれ装飾図柄）と変動パターンを決定する。
そして、決定した装飾図柄（当たり装飾図柄あるいははずれ装飾図柄）を示す図柄情報と変動パターン（当たり装飾図柄変動パターンあるいははずれ装飾図柄変動パターン）を装飾図柄表示装置３５に表示させるための副コマンド信号（表示コマンド信号）を副制御信号として端子２１ｃ、副制御基板２０の端子２０ｂを介して表示制御基板３０の端子３０ａに出力する。
【００１１】
また、決定した変動パターンに応じた音による演出を行うために、決定した変動パターンを示す変動パターン情報を含む副コマンド信号（音コマンド信号）を副制御信号として音源ＩＣ２３に出力する。音源ＩＣ２３は、音制御回路と音制御用記憶回路を有しており、入力された副コマンド信号（音コマンド信号）と、音制御用記憶回路に記憶されている情報に基づいて、音駆動信号を副制御基板２０の端子２０ｃを介してスピーカ２５に出力し、変動パターンに対応した音をスピーカ２５から発生させる。
また、決定した変動パターンに応じた光による演出を行うために、決定した変動パターンを示す変動パターン情報を含む副コマンド信号（ＬＥＤコマンド信号）を副制御信号として、端子２０ｄを介してＬＥＤ基板５０の端子５０ａに出力するとともに、決定した変動パターンを示す変動パターン情報を含む副コマンド信号（ランプコマンド信号）を副制御信号として、端子２０ｅを介してランプ基板６０の端子６１ａに出力する。
【００１２】
表示制御基板３０には、表示制御回路３１、ＲＯＭやＲＡＭを含む記憶回路（表示用記憶回路）３２、表示装置駆動装置（装飾図柄用表示装置駆動装置）４０等が配設されている。表示装置駆動装置４０は、ＶＤＰ（ビデオディスプレイプロセッサ）（画像処理回路）４０ａ、ＲＯＭやＲＡＭを含む記憶回路（画像用記憶回路）４０ｂ、表示装置駆動回路（装飾図画用表示装置駆動回路）４０ｃを有している。
表示制御回路３１は、表示制御基板の端子３０ａに入力された副コマンド信号（表示コマンド信号）と、表示用記憶回路３２に書き込まれている情報に基づいて表示制御信号をＶＤＰ４０ａに出力する。例えば、副コマンド信号で示される装飾図柄（当り装飾図柄またははずれ装飾図柄）と変動パターン（当り装飾図柄変動パターまたははずれ装飾図柄変動パターン）を表示するための画像情報を指示する表示制御信号を出力する。ＶＤＰ４０ａは、入力された表示制御信号に基づいて、画像用記憶回路４０ｂから装飾図柄画像情報、キャラクタ画像情報や背景画像情報等を読み出し、読み出した各画像情報を、大きさや配設位置を調整しながら合成することによって表示画面に対応するビットマップデータを作成する。そして、作成したビットマップデータに基づいて表示装置駆動回路４０ｃに制御信号を出力する。表示装置駆動回路４０ｃは、入力された制御信号に基づいて装飾図柄表示装置３５を駆動する。
装飾図柄表示装置３５としては、種々の演出表示を行うことができる液晶表示装置等が用いられる。
なお、装飾図柄表示装置３５での装飾図柄の変動表示の開始時点及び終了時点は、特別図柄表示装置１５での特別図柄の変動表示の開始時点及び終了時点と一致している。
【００１３】
ＬＥＤ基板５０には、ＬＥＤ駆動回路５１、ＲＯＭやＲＡＭ等の記憶回路（ＬＥＤ用記憶回路）５２が配設されている。ＬＥＤ基板５０の端子５０Ａ〜５０Ｍは、ＬＥＤ駆動回路５１の端子５１Ａ〜５１Ｍに接続されているとともに、ＬＥＤ５５Ａ〜５５Ｍそれぞれに直列に接続されているスイッチング素子５６Ａ〜５６Ｍそれぞれの制御端子（例えば、トランジスタのベース端子）に接続されている。ＬＥＤ用記憶回路５２には、変動パターンそれぞれにおけるＬＥＤ５５Ａ〜５５ＭそれぞれのＬＥＤ駆動パターンを示すＬＥＤ駆動パターン識別情報、ＬＥＤ駆動パターン識別情報それぞれに対応するＬＥＤ駆動パターンが書き込まれている。
ＬＥＤ駆動回路５１は、ＬＥＤ基板５０の端子５０ａ、端子５１ａを介して入力された副コマンド信号（ＬＥＤコマンド信号）と記憶回路５２に書き込まれている情報に基づいて、端子５１Ａ〜５１Ｍ、ＬＥＤ基板５０の端子５０Ａ〜５０Ｍを介してスイッチング素子５６Ａ〜５６Ｍそれぞれに、スイッチング素子５６Ａ〜５６Ｍをオンさせる駆動信号を出力する。本実施の形態では、ＬＥＤ駆動回路５１は、端子５１ａに入力されたＬＥＤコマンド信号で示される変動パターンに対応するＬＥＤ５５Ａ〜５５ＭそれぞれのＬＥＤ駆動パターン識別情報を判別し、判別したＬＥＤ５５Ａ〜５５ＭそれぞれのＬＥＤ駆動パターン識別情報に基づいて、ＬＥＤ５５Ａ〜５５ＭそれぞれのＬＥＤ駆動パターンを読み出す。そして、読み出したＬＥＤ５５Ａ〜５５ＭそれぞれのＬＥＤ駆動パターンに基づいて、端子５１Ａ〜５１Ｍそれぞれからスイッチング素子５６Ａ〜５６Ｍの制御端子に駆動信号を出力する。
【００１４】
ランプ基板６０には、ランプ駆動回路６１、ＲＯＭやＲＡＭ等の記憶回路（ランプ用記憶回路）６２が配設されている。ランプ基板６０の端子６１Ａ〜６１Ｎは、ランプ駆動回路６１の端子６１Ａ〜６１Ｎに接続されているとともに、ランプ６Ａ〜６５Ｎそれぞれに直列に接続されているスイッチング素子６６Ａ〜６６Ｎそれぞれの制御端子（例えば、トランジスタのベース端子）に接続されている。ランプ用記憶回路６２には、変動パターンそれぞれにおけるランプ６５Ａ〜６５Ｎそれぞれのランプ駆動パターンを示すランプ駆動パターン識別情報、ランプ駆動パターン識別情報それぞれに対応するランプ駆動パターンが書き込まれている。
ランプ駆動回路６１は、ランプ基板６０の端子６０ａ、端子６１ａを介して入力された副コマンド信号（ランプコマンド信号）と記憶回路６２に記憶されている情報に基づいて、端子６１Ａ〜６１Ｎ、ランプ基板６０の端子６０Ａ〜６０Ｎを介して、ランプ６５Ａ〜６５Ｎそれぞれに直列に接続されているスイッチング素子６６Ａ〜６６Ｎそれぞれに、スイッチング素子６６Ａ〜６６Ｎをオンさせる駆動信号を出力する。本実施の形態では、ランプ駆動回路６１は、端子６１ａに入力されたランプコマンド信号で示される変動パターンに対応するランプ６５Ａ〜６５Ｎそれぞれのランプ駆動パターン識別情報を判別し、判別したランプ６５Ａ〜６５Ｎそれぞれのランプ駆動パターン識別情報に基づいて、ランプ６５Ａ〜６５Ｎそれぞれのランプ駆動パターンを読み出す。そして、ランプ６５Ａ〜６５Ｎそれぞれのランプ駆動パターンに基づいて、端子６１Ａ〜６１Ｎそれぞれからスイッチング素子６６Ａ〜６６Ｎの制御端子に駆動信号を出力する。
また、ランプ駆動回路６１は、ランプ駆動パターンに基づいてランプ６５Ａ〜６５Ｎを駆動する時、ランプ６５Ａ〜６５Ｎを流れる電流が徐々に増加するようにスイッチング素子６６Ａ〜６６Ｎの制御端子に出力する駆動信号を制御する。
【００１５】
本実施の形態におけるランプ６５Ａ〜６５Ｎを駆動する動作を、図３を用いて具体的に説明する。
記憶回路６２には、例えば、ランプ駆動パターン識別情報１〜Ｐ（Ｐ：ランプ駆動パターンの数）に対応するランプ駆動パターンが記憶されている（以下、ランプ駆動パターン１〜Ｐという）。ランプ駆動パターン１は、開始時点Ｔ1-1から時点Ｔ1-2の間ランプを点灯させ、時点Ｔ1-2から時点Ｔ1-3の間ランプをオフさせるように設定されている。ランプ駆動パターンＰは、開始時点Ｔp-1から時点Ｔp-2の間ランプを消灯させ、時点Ｔp-2から時点Ｔp-3の間ランプを点灯させるように設定されている。
ランプ駆動回路６１は、端子６１ａから入力されたランプコマンド信号で示されている変動パターンに対応するランプ６５Ａ〜６５Ｎそれぞれのランプ駆動パターンを記憶回路６２から読み出し、読み出したランプ６５Ａ〜６５Ｎそれぞれの駆動パターンに基づいてスイッチング素子６６Ａ〜６６Ｎを駆動する駆動信号を出力する。
例えば、ランプ６５Ａのランプ駆動パターンとしてランプ駆動パターン１が設定されている場合には、記憶回路６２からランプ駆動パターン１を読み出し、読み出したランプ駆動パターン１に基づいてスイッチング素子６６Ａの制御端子に駆動信号を出力する。すなわち、開始時点T1-1から時点Ｔ1-2の間スイッチング素子６６Ａの制御端子に、スイッチング素子６６Ａをオンさせるオン信号（駆動信号）を出力して、ランプ６５Ａを点灯させる。また、ランプ６５Ｎのランプ駆動パターンとしてランプ駆動パターンＰが設定されている場合には、記憶回路６２からランプ駆動パターンＰを読み出し、読み出したランプ駆動パターンＰに基づいてスイッチング素子６６Ｎの制御端子に駆動信号を出力する。すなわち、開始時点Tp-1からオフ期間経過した時点Ｔp-2から時点Ｔp-3の間スイッチング素子６６Ｎの制御端子に、スイッチング素子６６Ｎをオンさせるオン信号（駆動信号）を出力して、ランプ６５Ｎを点灯させる。
【００１６】
本実施の形態では、従来例のように、スイッチング素子６６Ａ〜６６Ｎに並列に、ランプ６５Ａ〜６５Ｎの消灯時にランプ６５Ａ〜６５Ｎに微小電流を流すための抵抗が接続されてなく、また、ランプ６５Ａ〜６５Ｎに直列に、ランプ６５Ａ〜６５Ｎの突入電流を抑制するための抵抗が接続されていない。このため、本実施の形態では、ランプ６６Ａ〜６６Ｎの突入電流を抑制するために、ランプ６６Ａ〜６６Ｎを流れる電流が徐々に増加するように、スイッチング素子６６Ａ〜６６Ｎの制御端子に駆動信号を出力する時、オン期間が徐々に増加する始動パターンに基づいてスイッチング素子６６Ａ〜６６Ｎの制御端子に出力する駆動信号を制御している。
例えば、ランプ６５Ａのランプ駆動パターンとしてランプ駆動パターン１が設定されている場合には、前述したように、開始時点Ｔ1-1から時点Ｔ1-2の間スイッチング素子６６Ａの制御端子に、スイッチング素子６６Ａをオンさせるオン信号（駆動信号）を出力する。ここで、オン信号（駆動新号）が出力される時点（駆動開始時点）Ｔ1-1から時点（駆動終了時点）Ｔ1-2のうち、時点（駆動開始時点）T1-1から時点Ｔ1-1sまでの始動期間の間、オン期間が徐々に増加する駆動信号（ＰＷＭ制御された始動用駆動信号）を出力する。例えば、時点Ｔ1-1から時点Ｔ1-1sまでの始動期間の間、周期ｔ中におけるオン期間ｎとオフ期間ｆとの比［ｎ／ｆ］が［ｎ１／ｆ１］である始動用駆動信号ｓ１、［ｎ２／ｆ２］である始動用駆動信号ｓ２、［ｎ３／ｆ３］である始動用駆動信号ｓ３、［ｎ４／ｆ４］である始動用駆動信号ｓ４、［ｎ５／ｆ５］である始動用駆動信号ｓ５（ｓ１＜ｓ２＜ｓ３＜ｓ４＜ｓ５）を周期ｔ毎に順次出力する。そして、始動用駆動信号ｓ１〜ｓ５を出力した後、時点Ｔ1-1sから時点Ｔ1-2まで連続する駆動信号ｓ６（定常駆動信号）を出力する。これにより、スイッチング素子６６Ａを介してランプ６５Ａに流れる電流が徐々に増加するため、ランプ６５Ａの駆動時の突入電流を抑制することができる。駆動信号の出力開始時の始動期間に、始動パターンに対応する始動用駆動信号を出力する動作は、ランプ６５Ａ〜６５Ｎの制御端子に駆動信号を出力する毎（ランプ６５Ａ〜６５Ｎを駆動する毎）に実行される。駆動パターン１〜Ｐと始動パターンを組み合わせたパターンに対応する駆動信号を出力する方法としては、適宜の方法を用いることができる。
なお、ＬＥＤ５５Ａ〜５５Ｍに対しても同様の方法で駆動することができる。
【００１７】
本実施の形態では、スイッチング素子６６Ａ〜６６Ｎに駆動信号を出力する時の始動期間における始動パターン（始動用駆動信号の出力パターン）が記憶回路６２に記憶させている。そして、ランプ駆動回路６１は、ランプ駆動パターン１〜Ｐに基づいてスイッチング素子６６Ａ〜６６Ｎの制御端子に駆動信号を出力する時に、記憶回路６２に記憶されている始動パターンに基づいて、オン期間が徐々に増加するように駆動信号を制御する（始動期間の間始動用駆動信号を出力する）ように構成されている。
これにより、ランプ駆動パターンを設定あるいは変更する場合には、ランプの点灯時点と消灯時点のみを設定あるいは変更するだけでよいため、ランプ駆動パターンの設定作業や変更作業が容易である。さらに、始動パターンの設定作業あるいは変更作業も容易である。
【００１８】
以上のように、本実施の形態では、遊技機本体に設けられているランプ６５Ａ〜６５Ｎに直列に接続されているスイッチング素子６６Ａ〜６６Ｎに並列に抵抗を接続することなく、また、ランプ６５Ａ〜６５Ｎに直列に抵抗を接続することなく、ランプ６５Ａ〜６５Ｎの駆動時の突入電流を抑制することができる。これにより、ランプ６５Ａ〜６５Ｎの消灯時にランプ６５Ａ〜６５Ｎに電流が流れないため、ランプ６５Ａ〜６５Ｎの寿命の低減を抑制することができる。したがって、異なる機種に対して共通に使用される遊技機本体（本体枠２、ガラス枠３）に設けられるランプの起動時の突入電流を抑制するための方法として好適である。また、ランプ６５Ａ〜６５Ｎに直列に接続されているスイッチング素子６６Ａ〜６６Ｎに並列に接続される抵抗やランプ６５Ａ〜６５Ｎに直列に接続される抵抗が不要となるため、消費電流（損失）を抑制することができ、電源装置の負担を軽減することができる。
また、ランプ駆動パターンとランプ駆動時の始動パターンを別々に設定し、ランプ駆動時にランプ駆動パターンと始動パターンを用いてランプを駆動するため、ランプ駆動パターンや始動パターンの設定や変更が容易である。
【００１９】
本発明は、実施の形態で説明した構成に限定されず、種々の変更、追加、削除が可能である。
ランプ用記憶回路に複数のランプ駆動パターンと１つの始動パターンを記憶させたが、ランプ駆動パターンと始動パターンの記憶方法はこれに限定されない。例えば、始動パターンを含む駆動パターンを複数記憶させてもよい。この場合には、ランプ駆動回路６１は、ランプコマンド信号で示されているランプ駆動パターンを記憶回路６２から読み出し、読み出したランプ駆動パターンに基づいてスイッチング素子６６Ａ〜６６Ｎを制御する（ランプ６５Ａ〜６５Ｎを駆動する）だけでよい。あるいは、複数のランプ駆動パターンと複数の始動パターンを記憶させてもよい。例えば、ランプ駆動パターンを示すランプ駆動パターン識別情報に対応させてランプ駆動パターンを記憶するとともに、始動パターン識別情報に対応させて始動パターンを記憶回路６２に記憶させる。そして、副制御回路２１は、ランプ駆動パターン識別情報と始動パターン識別情報を含むランプコマンド信号を副制御信号として出力する。ランプ駆動回路６１は、ランプコマンド信号に含まれているランプ駆動パターン識別情報で示されているランプ駆動パターンと、始動パターン識別情報で示されている始動パターンを記憶回路６２から読み出し、読み出したランプ駆動パターンと始動パターンの組み合わせに基づいてスイッチング素子６６Ａ〜６６Ｎを制御する（ランプ６５Ａ〜６５Ｎを駆動する。この場合には、ランプ駆動パターンと始動パターンを個別に設定あるいは変更することができる。また、ランプ駆動パターンと始動パターンの種々の組合せを用いることができる。
副制御回路２１は、主コマンド信号で示される抽選結果情報及び変動時間情報に基づいて装飾図柄及び変動パターンを決定し、決定した装飾図柄及び変動パターンを示す表示コマンド信号を表示制御回路３１に出力したが、表示コマンド信号はこれに限定されない。例えば、副制御回路２１は、主コマンド信号で示される抽選結果情報及び変動時間情報を示す表示コマンド信号を表示制御回路３１に出力することもできる。この場合には、表示制御回路３１は、表示コマンド信号で示される抽選結果情報及び変動時間情報に基づいて装飾図柄及び変動パターンを決定する。
副制御回路２１からランプ駆動回路６１に出力する副制御信号として変動パターンを示す副コマンド信号を用いたが、副制御信号の形態としては種々の形態を用いることができる。例えば、ランプ６５Ａ〜６５Ｎそれぞれのランプ駆動パターンを示すランプ駆動パターン識別情報がシリアルに配置された副制御信号の形態を用いることができる。この場合には、ランプ駆動回路６１は、副制御信号に含まれているランプ６５Ａ〜６５Ｎそれぞれのランプ駆動パターン識別情報に基づいてランプ６５Ａ〜６５Ｎそれぞれのランプ駆動パターンを判別する。
表示制御基板３０、ＬＥＤ基板５０、ランプ基板６０を設けたが、表示制御基板３０、ＬＥＤ基板５０、ランプ基板６０を省略することもできる。表示制御基板３０を省略する場合には、表示制御回路３１の処理を副制御回路２１で実行する。この時、表示装置駆動装置４０を副制御基板２０に配設することもできる。ＬＥＤ基板５０やランプ基板６０を省略する場合には、ＬＥＤ駆動回路５１やランプ駆動回路６１を副制御基板２０に配設する。
ＬＥＤ５５Ａ〜５５Ａやランプ６５Ａ〜６５Ｎは遊技機本体（本体枠２、ガラス枠４）及び遊技盤７の一方または双方に設けることができる。
ＬＥＤ５５Ａ〜５５Ｍやランプ６５Ａ〜６５Ｎを駆動する方法は、実施の形態で説明した方法に限定されない。
制御系の構成や制御動作は、実施の形態で説明した構成や動作に限定されない。
実施の形態ではパチンコ機について説明したが、本発明は、パチン機以外の種々の種類の遊技機として構成することができる。
【００２０】
本発明は、以下のように構成することもできる。
例えば、「（態様１）請求項１に記載の遊技機であって、ランプ用記憶回路を備え、前記ランプ用記憶回路には、複数の駆動パターンが記憶されており、前記ランプ駆動回路は、遊技状態に応じた駆動パターンを前記ランプ用記憶回路から読み出し、読み出した駆動パターンに基づいて前記ランプを駆動するとともに、前記ランプを流れる電流が徐々に増加するように前記ランプを駆動することを特徴とする遊技機。」として構成することができる。
【００２１】
本態様では、複数のランプ駆動パターンが記憶されているランプ用駆動回路を有している。ランプ駆動回路は、遊技状態に応じてランプを駆動するランプ駆動パターンをランプ用記憶回路から読み出す。そして、読み出したランプ駆動パターンに基づいて、ランプを駆動する。ランプ駆動パターンに基づいてランプを駆動する態様としては、例えば、ランプ駆動パターンに設定されているランプ点灯期間に、ランプに直列に接続されているスイッチング素子に、スイッチング素子をオンさせる駆動信号を出力する態様が用いられる。
また、ランプ駆動回路は、ランプを流れる電流が徐々に増加するようにランプを駆動する。ランプを流れる電流が徐々に増加するようにランプを駆動する態様としては、例えば、ランプに直列に接続されているスイッチング素子に駆動信号を出力する時に、オン期間が徐々に増加するように駆動信号を制御する態様が用いられる。オン期間が徐々に増加するように駆動信号を制御する方法としては、例えば、ランプ用記憶回路に始動パターンを記憶させておき、ランプ駆動パターンに基づいて駆動期間を判別するとともに、始動パターンに基づいて駆動信号を制御する方法を用いることができる。この方法を用いる場合には、ランプ駆動パターンと始動パターンを個別に設定あるいは変更することができる。
本態様を用いることにより、ランプの駆動時の突入電流を容易に抑制することができる。
【００２２】
また、「（態様２）請求項１に記載の遊技機であって、ランプ用記憶回路を備え、前記ランプ用記憶回路には、前記ランプを流れる電流を徐々に増加させる始動パターンを含んでいる複数の駆動パターンが記憶されており、前記ランプ駆動回路は、遊技状態に応じた駆動パターンを前記ランプ用記憶回路から読み出し、読み出した駆動パターンに基づいて前記ランプを駆動することを特徴とする遊技機。」として構成することができる。
【００２３】
本態様では、ランプを流れる電流を徐々に増加させる始動パターンを含んでいる複数のランプ駆動パターンが記憶されているランプ用駆動回路を有している。ランプ駆動回路は、遊技状態に応じてランプを駆動するランプ駆動パターンをランプ用記憶回路から読み出す。そして、読み出したランプ駆動パターンに基づいて、ランプを駆動する。ランプ駆動パターンに基づいてランプを駆動する態様としては、例えば、ランプ駆動パターンに基づいて、ランプに直列に接続されているスイッチング素子に、スイッチング素子をオンさせる駆動信号を出力する態様が用いられる。
本態様では、ランプ駆動回路は、記憶回路から読み出したランプ駆動パターンに基づいてランプを駆動するだけでよいため、ランプ駆動回路の処理が簡単になる。
本態様を用いることにより、ランプの駆動時の突入電流を容易に抑制することができる。
【００２４】
また、「（態様３）請求項１、態様１または２のいずれかに記載の遊技機であって、主制御回路と、副制御回路を備え、前記主制御回路は、遊技状態に応じて主制御信号を出力し、前記副制御回路は、前記主制御回路から出力された主制御信号に基づいて、駆動パターンを示す副制御信号を出力し、前記ランプ駆動回路は、前記副制御回路から出力された副制御信号で示される駆動パターンでまたは前記副制御回路から出力された副制御信号で示される駆動パターンを前記記憶回路から読み出し、読み出した駆動パターンで前記ランプを駆動することを特徴とする遊技機。」として構成することができる。
【００２５】
本態様は、主制御回路、副制御回路、ランプ駆動回路を備えている。主制御回路は、遊技状態に応じた主制御信号を出力する。福制御回路は、主制御回路から出力された主制御信号に基づいて、副制御信号を出力する。ランプ駆動回路は、副制御回路から出力された副制御信号に基づいて、副制御信号で示されるランプ駆動パターンでランプを駆動する。
本態様を用いることにより、ランプの寿命に対する影響が少なく、消費電流（損失）を抑制しながら、ランプ駆動時の突入電流を抑制することができる遊城機を容易に構成することができる。
【図面の簡単な説明】
【００２６】
【図１】パチンコ機として構成した一実施の形態の斜視図である。
【図２】一実施の形態の制御系の概略構成図である。
【図３】一実施の形態の動作を説明する図である。
【符号の説明】
【００２７】
１  パチンコ機
２  基枠
３  本体枠
４  ガラス枠
７  遊技盤
１０  主制御基板
１１  主制御回路
１２、２２、３２、５２、６２  記憶回路
２０  副制御基板
２１  副制御回路
２３  音源ＩＣ
３０  表示制御基板
３１  表示制御回路
５０  ＬＥＤ基板
５１  ＬＥＤ駆動回路
６０  ランプ基板
６１  ランプ駆動回路
５５Ａ〜５５Ｍ  ＬＥＤ
５６Ａ〜５６Ｍ、６６Ａ〜６６Ｎ  スイッチング素子
６５Ａ〜６５Ｎ  ランプ
【図１】
2008264435.tif 000003
【図２】
2008264435.tif 000004
【図３】
2008264435.tif 000005